(57)【特許請求の範囲】
【請求項１】
フィン状管体に充填された蓄熱不燃性オイルを加熱することにより室内の空気を暖めて暖房を行うオイルヒーターにおいて、
蓄熱不燃性オイルを加熱する加熱手段と、
所定の時刻に対応して所定の温度を記憶する記憶手段と、
任意の温度で運転するために使用者が設定温度を変更することにより前記加熱手段を制御する手動運転モードと、前記記憶手段により記憶した温度で運転するために自動的に前記加熱手段を制御する自動運転モードとを選択的に切り換える手動運転／自動運転切り換え手段と、
現在時刻を示す時計手段と、
検出角度９０度、検出距離０．２ｍ〜６ｍの範囲内に位置する人を検知する検知手段と、
前記時計手段が示す現在時刻で初期設定して１日の２４時間単位で時間を計測する計測手段と、
前記手動運転／自動運転切り換え手段により前記手動運転モードが選択されたとき、前記検知手段による検知結果によって人が２４時間の間連続して感知されなかった場合および２４時間の間連続して操作されなかった場合に自動的にオイルヒーターの運転を停止する停止手段と、
前記手動運転／自動運転切り換え手段により前記自動運転モードが選択されたとき、フィン状管体の温度が平衡状態になるまでの立ち上がり時間に基づいて、前記計測手段が１日の２４時間単位で計測する時間に応じて、前記記憶手段の所定の時刻に対応して記憶された所定の温度で室温が維持されるように前記加熱手段を制御する制御手段と
を有することを特徴とするオイルヒーター。
【請求項２】
請求項１に記載のオイルヒーターにおいて、さらに、
前記記憶手段において所定の時刻に対応して記憶されている所定の温度を、所定の時刻毎に温度の高低に応じた異なる色彩で表示する表示手段を有する
ことを特徴とするオイルヒーター。
【請求項３】
フィン状管体に充填された蓄熱不燃性オイルを加熱することにより室内の空気を暖めて暖房を行うオイルヒーターにおいて、
通電されて蓄熱不燃性オイルを加熱するヒーターと、
１日の２４時間のうちの１時間毎に対応して所定の温度を記憶する記憶手段と、
任意の温度で運転するために使用者が設定温度を変更することにより前記ヒーターを制御する手動運転モードと、前記記憶手段により記憶した温度で運転するために自動的に前記ヒーターを制御する自動運転モードとを選択的に切り換える手動運転／自動運転切り換えスイッチと、
現在時刻を示す時計と、
検出角度９０度、検出距離０．２ｍ〜６ｍの範囲内に位置する人を検知するセンサーと、
前記時計が示す現在時刻で初期設定されて１日の２４時間単位で時間を計測するタイマーと、
前記記憶手段において１日の２４時間のうちの１時間毎に対応して記憶されている所定の温度を、１日の２４時間のうちの１時間毎に温度の高低に応じた異なる色彩により２４時間単位で表示可能な表示手段と、
前記手動運転／自動運転切り換え手段により前記手動運転モードが選択されたとき、前記センサーによる検知結果によって人が２４時間の間連続して感知されなかった場合および２４時間の間連続して操作されなかった場合に自動的にオイルヒーターの運転を停止する停止手段と、
前記手動運転／自動運転切り換え手段により前記自動運転モードが選択されたとき、フィン状管体の温度が平衡状態になるまでの立ち上がり時間に基づいて、前記タイマーが１日の２４時間単位で計測する時間に応じて、前記記憶手段の１日の２４時間のうちの１時間に対応して記憶された所定の温度で室温が維持されるように前記ヒーターへの通電を制御する制御手段と
を有することを特徴とするオイルヒーター。
【請求項４】
請求項１、請求項２または請求項３のいずれか１項に記載のオイルヒーターにおいて、さらに、
所定の時刻に対応して所定の温度を設定する設定手段を有する
ことを特徴とするオイルヒーター。
【発明の詳細な説明】
【０００１】
【発明の属する技術分野】
本発明は、オイルヒーターに関し、さらに詳細には、蓄熱不燃性オイルを加熱することにより室内の空気を暖めて暖房を行うオイルヒーターに関する。
【０００２】
【従来の技術】
従来より、内部に熱媒体たる蓄熱不燃性オイルを充填した複数のフィン状管体と、電気ヒーターなどの所定の加熱手段とを有し、電源の投入により加熱手段が蓄熱不燃性オイルを加熱してフィン状管体の表面から放熱させ、室内の空気を暖めるようにした暖房装置としてのオイルヒーターが知られている。
【０００３】
こうしたオイルヒーターにおいては、電源の投入と遮断とを制御するタイマーが取り付けられていて、使用者によって予め設定された時刻に電源の投入あるいは遮断が行われるようになされている。
【０００４】
しかしながら、従来のオイルヒーターにおいては、予め所定の時刻に電源を投入あるいは遮断させる設定しかできず、温度（即ち、室温）の調節は、タイマーによってオイルヒーターの電源が自動的に投入された後に使用者が手動で行わなければならなかった。
【０００５】
つまり、従来のオイルヒーターにおいては、予め設定された時刻に、予め設定された所望の温度で室温を維持するように動作することができないという問題点があった。
【０００６】
【発明が解決しようとする課題】
本発明は、上記したような従来の技術の有する問題点に鑑みてなされたものであり、その目的とするところは、予め設定された時刻に、予め設定された温度で室温を維持するように動作することができるようにしたオイルヒーターを提供しようとするものである。
【０００７】
【課題を解決するための手段】
上記目的を達成するために、本発明のうち請求項１に記載の発明は、フィン状管体に充填された蓄熱不燃性オイルを加熱することにより室内の空気を暖めて暖房を行うオイルヒーターにおいて、蓄熱不燃性オイルを加熱する加熱手段と、所定の時刻に対応して所定の温度を記憶する記憶手段と、任意の温度で運転するために使用者が設定温度を変更することにより上記加熱手段を制御する手動運転モードと、上記記憶手段により記憶した温度で運転するために自動的に上記加熱手段を制御する自動運転モードとを選択的に切り換える手動運転／自動運転切り換え手段と、現在時刻を示す時計手段と、検出角度９０度、検出距離０．２ｍ〜６ｍの範囲内に位置する人を検知する検知手段と、上記時計手段が示す現在時刻で初期設定して１日の２４時間単位で時間を計測する計測手段と、上記手動運転／自動運転切り換え手段により上記手動運転モードが選択されたとき、上記検知手段による検知結果によって人が２４時間の間連続して感知されなかった場合および２４時間の間連続して操作されなかった場合に自動的にオイルヒーターの運転を停止する停止手段と、上記手動運転／自動運転切り換え手段により上記自動運転モードが選択されたとき、フィン状管体の温度が平衡状態になるまでの立ち上がり時間に基づいて、上記計測手段が１日の２４時間単位で計測する時間に応じて、上記記憶手段の所定の時刻に対応して記憶された所定の温度で室温が維持されるように上記加熱手段を制御する制御手段とを有するようにしたものである。
【０００８】
従って、本発明のうち請求項１に記載の発明によれば、手動運転／自動運転切り換え手段により手動運動モードが選択されたときは、検知手段によって検出角度９０度、検出距離０．２ｍ〜６ｍの範囲に人がいるか否かを検知し、その検知結果に基づいて、２４時間の間人が検知されなければ自動的にオイルヒーターの運転は停止され、人が検知されればオイルヒーターはそのまま運転を続ける。さらに、２４時間の間連続して操作されない場合にはオイルヒーターの運転が自動的に停止される。
また、手動運転／自動運転切り換え手段により自動運転モードが選択されたときには、フィン状管体の温度が平衡状態になるまでの立ち上がり時間に基づいて、計測手段が１日の２４時間単位で計測する時間に応じて、記憶手段の所定の時刻に対応して記憶された所定の温度で室温が維持されるように加熱手段が制御されるので、時計手段が示す現在時刻と記憶手段に記憶された所定の時刻とが一致したときには、当該所定の時刻に対応して記憶された所定の温度で室温が維持されるようになり、オイルヒーターが自動的に、予め設定された時刻に予め設定された温度で室温を維持するように動作することができるようになる。
【０００９】
また、本発明のうち請求項２に記載の発明は、請求項１に記載の発明において、さらに、上記記憶手段において所定の時刻に対応して記憶されている所定の温度を、所定の時刻毎に温度の高低に応じた異なる色彩で表示する表示手段を有するようにしたものである。
【００１０】
従って、本発明のうち請求項２に記載の発明によれば、このオイルヒーターの使用者は、表示手段を目視することにより、所定の時刻に対応して記憶された温度などの設定内容を容易に確認することができるようになる。
【００１１】
また、本発明のうち請求項３に記載の発明は、フィン状管体に充填された蓄熱不燃性オイルを加熱することにより室内の空気を暖めて暖房を行うオイルヒーターにおいて、通電されて蓄熱不燃性オイルを加熱するヒーターと、１日の２４時間のうちの１時間毎に対応して所定の温度を記憶する記憶手段と、任意の温度で運転するために使用者が設定温度を変更することにより上記ヒーターを制御する手動運転モードと、上記記憶手段により記憶した温度で運転するために自動的に上記ヒーターを制御する自動運転モードとを選択的に切り換える手動運転／自動運転切り換えスイッチと、現在時刻を示す時計と、検出角度９０度、検出距離０．２ｍ〜６ｍの範囲内に位置する人を検知するセンサーと、上記時計が示す現在時刻で初期設定されて１日の２４時間単位で時間を計測するタイマーと、上記記憶手段において１日の２４時間のうちの１時間毎に対応して記憶されている所定の温度を、１日の２４時間のうちの１時間毎に温度の高低に応じた異なる色彩により２４時間単位で表示可能な表示手段と、上記手動運転／自動運転切り換え手段により上記手動運転モードが選択されたとき、上記センサーによる検知結果によって人が２４時間の間連続して感知されなかった場合および２４時間の間連続して操作されなかった場合に自動的にオイルヒーターの運転を停止する停止手段と、上記手動運転／自動運転切り換え手段により上記自動運転モードが選択されたとき、フィン状管体の温度が平衡状態になるまでの立ち上がり時間に基づいて、上記タイマーが１日の２４時間単位で計測する時間に応じて、上記記憶手段の１日の２４時間のうちの１時間に対応して記憶された所定の温度で室温が維持されるように上記ヒーターへの通電を制御する制御手段とを有するようにしたものである。
【００１２】
従って、本発明のうち請求項３に記載の発明によれば、手動運転／自動運転切り換え手段により手動運動モードが選択されたときは、センサーによって検出角度９０度、検出距離０．２ｍ〜６ｍの範囲に人がいるか否かを検知し、その検知結果に基づいて、２４時間の間人が検知されなければ自動的にオイルヒーターの運転は停止され、人が検知されればオイルヒーターはそのまま運転を続ける。さらに、２４時間の間連続して操作されない場合にはオイルヒーターの運転が自動的に停止される。
また、手動運転／自動運転切り換え手段により自動運転モードが選択されたときには、フィン状管体の温度が平衡状態になるまでの立ち上がり時間に基づいて、タイマーが１日の２４時間単位で計測する時間に応じて、記憶手段の１日の２４時間のうちの１時間に対応して記憶された所定の温度で室温が維持されるようにヒーターへの通電が制御されるので、時計が示す現在時刻と対応する１日の２４時間のうちの１時間は、当該１日の２４時間のうちの１時間に対応して記憶された所定の温度で室温が維持されるようになり、オイルヒーターが自動的に、予め設定された時刻に予め設定された温度で室温を維持するように動作することができるようになる。また、このオイルヒーターの使用者は表示手段を目視することにより、１日の２４時間のうちの１時間毎に対応して記憶された温度などの１日の２４時間分の設定内容を容易に確認することができるようになる。
【００１３】
また、本発明のうち請求項４に記載の発明は、請求項１、請求項２または請求項３のいずれか１項に記載の発明において、さらに、所定の時刻に対応して所定の温度を設定する設定手段を有するようにしたものである。
【００１４】
従って、本発明のうち請求項４に記載の発明によれば、設定手段によって所望の時刻にそれぞれ所望の温度を設定することができ、オイルヒーターが自動的に、設定された所望の時刻に設定された所望の温度で室温を維持するように動作することができるようになる。
【００１５】
【発明の実施の形態】
以下、添付の図面を参照しながら、本発明によるオイルヒーターの実施の形態の一例を詳細に説明する。
【００１６】
まず、図１には、本発明によるオイルヒーターの実施の形態の一例を示す外観斜視図が示されており、図２には、本発明によるオイルヒーターの実施の形態の一例のシステム構成を表すブロック構成図が示されており、図３には、本発明によるオイルヒーターの実施の形態の一例の操作パネル部を示す概略構成説明図が示されている。
【００１７】
このオイルヒーター１０は、電源コード１９を介して電力が供給されて作動するものであり、キャスター１１を有する脚部１２と、鋼板により形成された複数枚のフィン状管体１４と、フィン状管体１４内に充填された蓄熱不燃性オイルを加熱する２本のヒーター１６−１、１６−２と、各種操作子と各種表示器とが設けられた操作パネル部１８とにより主要部が構成されている。
【００１８】
ここで、フィン状管体１４は脚部１２上に配設されており、操作パネル部１８はフィン状管体１４の一側面に配設されている。
【００１９】
また、オイルヒーター１０に配設されている２本のヒーター１６−１、１６−２はそれぞれ熱容量が異なっており、ヒーター１６−１の熱容量に比べてヒーター１６−２の熱容量が大きくなされている。
【００２０】
このため、設定された温度に応じて、熱容量の小さいヒーター１６−１のみを使用するか、熱容量の大きいヒーター１６−２のみを使用するか、あるいは、２本のヒーター１６−１、１６−２をいずれも使用するかの切り換えを行うことができるものである。
【００２１】
また、オイルヒーター１０には各種センサーとして、このオイルヒーター１０に近づいてオイルヒーター１０から所定の範囲（例えば、検出距離およそ０．２ｍ〜６ｍ：検出角度およそ９０度）以内に位置する人を検知する人用センサー１１４や、オイルヒーター１０が配設される室内の温度とオイルヒーター１０自体の温度とを検知する室温／本体温度センサー１１６など配設されている。
【００２２】
より詳細には、人用センサー１１４は、オイルヒーター１０の操作パネル部１８の一側面に配設されている。一方、室温／本体温度センサー１１６は、オイルヒーター１０のフィン状管体１４の下部側に室温センサーが配設されるとともに内部の電源基板上に本体温度センサーが配設されている。
【００２３】
そして、このオイルヒーター１０は、ヒーター１６−１、１６−２への通電の制御を含む全体の動作を、中央処理装置（ＣＰＵ）１００を用いて制御するように構成されている（図２参照）。
【００２４】
ＣＰＵ１００には、実行するプログラムなどが格納されたリード・オンリ・メモリ（ＲＯＭ）１０２と、ＣＰＵ１００によるプログラムの実行に必要な各種バッファやレジスタなどが設定されたワーキング・エリアとしてのランダム・アクセス・メモリ（ＲＡＭ）１０４と、時刻をカウントして現在時刻を示す時計１０６と、１日の２４時間単位で時間を計測するタイマー１０７と、室温／本体温度センサー１１６から出力されたアナログ信号をデジタル信号に変換するアナログ／デジタル（Ａ／Ｄ）変換器１０８と、予め設定された所定のパターンの標準設定温度データを記憶する標準設定温度メモリ１１０と、操作パネル部１８に設けられた各種操作子ならびに各種表示器と、ヒーター１６−１、１６−２とが接続されている。
【００２５】
さらに、ＲＡＭ１０４には、操作パネル部１８の温度調節スイッチ２２（後述する）から出力されたアナログ信号をデジタル信号に変換するアナログ／デジタル（Ａ／Ｄ）変換器１１２が接続されている。
【００２６】
ここで、タイマー１０７は、１日の２４時間単位での時間の計測するものであり、オイルヒーター１０の動作状態が後述する自動運転モードに変更されると、自動運転モードに変更されたときに時計１０６が示す現在時刻で初期設定されて時間の計測を開始する。そして、タイマー１０７は１日の２４時間単位での時間の計測するので、時計１０６が示す現在時刻で初期設定されてから、２４時間まで時間の経過を計測するとリセットされて、再び新たに２４時間の計測を開始する。
【００２７】
例えば、時計１０６の示す現在時刻が「１２：３４」のときに自動運転モードに変更されると、タイマー１０７は初期設定されて「１２：３４」から時間の計測を開始し、２４時間まで時間の経過を計測するとリセットされて、再び新たに２４時間の計測を開始する。
【００２８】
また、図４には、標準設定温度メモリ１１０のデータ構造が示されており、この標準設定温度メモリ１１０には、１日の２４時間のうちの１時間毎に対応して所定温度が予め設定されており、２４時間分の標準的な設定温度が予め所定のパターンで格納されている。
【００２９】
なお、この実施の形態においては、所定のパターンとして図４に示すように、０時、１時、２時、３時、４時ならびに５時にはそれぞれ「１８℃」が設定されており、６時、７時、８時ならびに９時にはそれぞれ「２４℃」が設定されており、１０時、１１時、１２時、１３時、１４時、１５時、１６時ならびに１７時にはそれぞれ「１４℃」が設定されており、１８時、１９時、２０時、２１時、２２時ならびに２３時にはそれぞれ「２６℃」が設定されている。
【００３０】
つまり、図４に示す標準設定温度メモリ１１０に記憶された所定のパターンの標準設定温度データは、０時から６時までの６時間の間は温度１８℃で室温を維持し、６時から１０時までの４時間の間は温度２４℃で室温を維持し、１０時から１８時までの８時間の間は温度１４℃で室温を維持し、１８時から０時までの６時間の間は温度２６℃で室温を維持することを示すものである。
【００３１】
なお、標準設定温度メモリ１１０に記憶された所定のパターンの標準設定温度データは、操作パネル部１８の手動運転／自動運転切り換えスイッチ２４（後述する）の操作に基づいてＣＰＵ１００により読み出され、当該標準設定温度データに従った表示や動作が行われるようになされている。
【００３２】
そして、図３に示すように操作パネル部１８には、第１エリア１８ａと第２エリア１８ｂとの２つのエリアが設けられており、これら２つのエリアには、各種操作子と各種表示器とがそれぞれ設けられている。
【００３３】
操作パネル部１８の第１エリア１８ａにおいては、各種操作子として、運転ＯＮ／ＯＦＦ（オン／オフ）スイッチ２０と、温度調節スイッチ２２と、手動運転／自動運転切り換えスイッチ２４とが設けられている。
【００３４】
これら運転ＯＮ／ＯＦＦスイッチ２０と、温度調節スイッチ２２と、手動運転／自動運転切り換えスイッチ２４とはいずれも、キー式のスイッチである。
【００３５】
また、第１エリア１８ａにおいては各種表示器として、運転ＯＮ／ＯＦＦスイッチ２０の操作状態を表示する発光ダイオード（ＬＥＤ）などにより構成される運転ＯＮ／ＯＦＦ表示器４０と、温度調節スイッチ２２の操作状態をアナログ的に表示するＬＥＤにより構成される温度設定表示器４２と、手動運転／自動運転切り換えスイッチ２４の操作状態を表示するＬＥＤにより構成される自動運転ＯＮ表示器４４と、ヒーター１６−１、１６−２への通電状態を表示するＬＥＤにより構成されるヒーター通電状態表示器４６と、時刻をデジタル数字表示する液晶表示装置（ＬＣＤ）などにより構成される時計表示器４８と、２４時間タイマーの設定状態をアナログ的に表示する２４個のタイマー表示器５０より構成される２４時間タイマー表示器５１と、ＬＥＤにより構成されるアラーム表示器５２とが設けられている。
【００３６】
一方、操作パネル部１８の第２エリア１８ｂにおいては、各種操作子として、タイマー／現時刻調整スイッチ２６と、時計・タイマー時間調整キースイッチ（ＵＰ）２８と、時計・タイマー時間調整キースイッチ（ＤＯＷＮ）３０と、設定内容決定スイッチ３２と、非常停止テストスイッチ３４とが設けられている。
【００３７】
これらタイマー／現時刻調整スイッチ２６と、時計・タイマー時間調整キースイッチ（ＵＰ）２８と、時計・タイマー時間調整キースイッチ（ＤＯＷＮ）３０と、設定内容決定スイッチ３２と、非常停止テストスイッチ３４とはいずれも、キー式のスイッチである。
【００３８】
そして、第２エリア１８ｂにおいては各種表示器として、動作モードを表示するＬＥＤにより構成される動作モード表示器５４と、タイマー／現時刻調整スイッチ２６の操作状態を表示するＬＥＤにより構成されるタイマー／時計調整スイッチ動作表示器５６と、ＬＥＤにより構成されるタイマー変更受付表示器５８とが設けられている。
【００３９】
以下に、操作パネル部１８の第１エリア１８ａと第２エリア１８ｂとのそれぞれに設けられた各種操作子ならびに各種表示器の機能について説明することとする。
【００４０】
なお、これら各種操作子の操作に基づく設定は、所定の記憶領域にそれぞれ読み込まれるものである。即ち、各種操作子の操作に応じてオイルヒーター１０の動作状態が設定されるものである。
【００４１】
まず、第１エリア１８ａに設けられた運転ＯＮ／ＯＦＦスイッチ２０は、このオイルヒーター１０の運転状態を設定する操作子であり、この運転ＯＮ／ＯＦＦスイッチ２０を操作すると、その操作に応じてオイルヒーター１０の運転状態が設定される。
【００４２】
即ち、運転ＯＮ／ＯＦＦスイッチ２０はオンされると、オイルヒーター１０の運転状態を停止状態から運転中状態に変更し、運転ＯＮ／ＯＦＦスイッチ２０はオフされると、オイルヒーター１０の運転状態を運転中状態から停止状態に変更する。
【００４３】
この際、運転ＯＮ／ＯＦＦスイッチ２０の操作状態を表示する運転ＯＮ／ＯＦＦ表示器４０は、運転ＯＮ／ＯＦＦスイッチ２０の操作状態に応じて、点灯／消灯を繰り返すものである。より詳細には、運転ＯＮ／ＯＦＦ表示器４０は、オイルヒーター１０の運転状態が運転中状態のときに点灯し、オイルヒーター１０の運転状態が停止状態のときに消灯するものである。
【００４４】
温度調節スイッチ２２は、温度設定に際して温度を選択する操作子であり、この温度調節スイッチ２２を操作すると、その操作に応じて温度が選択されるとともに、当該選択された温度が温度設定表示器４２に表示されるものである。
【００４５】
即ち、温度調節スイッチ２２の操作状態をアナログ的に表示する温度設定表示器４２は、１４℃から２６℃までの範囲を２℃刻みで表示しており、温度調節スイッチ２２により低温の１４℃が選択されると、温度設定表示器４２−１が緑色で点灯するものである。また、温度調節スイッチ２２により低温の１６℃の選択されると、温度設定表示器４２−１と温度設定表示器４２−２とが緑色で点灯するものである。
【００４６】
そして、温度調節スイッチ２２により中温の１８℃が選択されると、温度設定表示器４２−１、４２−２が緑色で点灯するとともに温度設定表示器４２−３が黄色で点灯し、温度調節スイッチ２２により中温の２０℃が選択されると、温度設定表示器４２−１、４２−２が緑色で点灯するとともに温度設定表示器４２−３、４２−４が黄色で点灯し、温度調節スイッチ２２により中温の２２℃が選択されると、温度設定表示器４２−１、４２−２が緑色で点灯するとともに温度設定表示器４２−３、４２−４、４２−５が黄色で点灯するものである。
【００４７】
さらに、温度調節スイッチ２２により高温の２４℃が選択されると、温度設定表示器４２−１、４２−２が緑色で点灯し温度設定表示器４２−３、４２−４、４２−５が黄色で点灯するとともに、温度設定表示器４２−６が赤色で点灯する。温度調節スイッチ２２により高温の２６℃が選択されると、温度設定表示器４２−１、４２−２が緑色で点灯し温度設定表示器４２−３、４２−４、４２−５が黄色で点灯するとともに、温度設定表示器４２−６、４２−７が赤色で点灯するものである。
【００４８】
手動運転／自動運転切り換えスイッチ２４は、このオイルヒーター１０の動作状態を「自動運転モード」に設定する操作子であり、手動運転／自動運転切り換えスイッチ２４を操作すると、その操作に応じてオイルヒーター１０の動作状態が設定される。
【００４９】
即ち、手動運転／自動運転切り換えスイッチ２４は、このオイルヒーター１０の動作状態が「手動運転モード」のときにオンされると、オイルヒーター１０の動作状態を「手動運転モード」から「自動運転モード」に変更する。
【００５０】
この際、手動運転／自動運転切り換えスイッチ２４の操作状態を表示する自動運転ＯＮ表示器４４は、手動運転／自動運転切り換えスイッチ２４の操作状態に応じて、点灯／消灯を繰り返すものである。より詳細には、自動運転ＯＮ表示器４４は、オイルヒーター１０の動作状態が「自動運転モード」ときに点灯し、それ以外の動作モードの場合は消灯するものである。
【００５１】
ここで、第１のエリアに設けられた他の表示器について説明すると、ヒーター１６−１、１６−２の通電状態を表示するヒーター通電状態表示器４６は、
熱容量の小さいヒーター１６−１のみに通電されているときには「弱」を示すヒーター通電状態表示器４６−１が点灯し、熱容量の大きいヒーター１６−２のみに通電されているときには「中」を示すヒーター通電状態表示器４６−２が点灯し、２本のヒーター１６−１、１６−２のいずれにも通電されているときには「強」を示すヒーター通電状態表示器４６−３が点灯するものである。
【００５２】
また、アラーム表示器５２は、非常停止テストスイッチ３４が操作されている最中には赤色点灯し、非常停止テストスイッチ３４が操作されていないときには消灯するものである。
【００５３】
時計表示器４８は、時計１０６がカウントしている時刻をデジタル数字表示するとともに、後述する「時計の調整モード」あるいは「タイマーの設定内容確認・変更モード」のときには、時計・タイマー時間調整キースイッチ（ＵＰ）２８や時計・タイマー時間調整キースイッチ（ＤＯＷＮ）３０の操作状態に応じた時刻をデジタル数字表示で点灯あるいは点滅して表示するものである。
【００５４】
そして、２４時間タイマー表示器５１は、１日の２４時間のうちの１時間毎それぞれに対応する２４個のタイマー表示器５０（表示器５０−１〜表示器５０−２４）によりなるものであり、これら２４個のタイマー表示器５０はそれぞれ、赤色と緑色の２色のＬＥＤにより構成されている。
【００５５】
従って、タイマー表示器５０はそれぞれ１日の２４時間のうちの対応する１時間毎に設定された温度の高低に応じて異なる色彩、即ち、赤色、緑色あるいは赤緑混合色たる黄色のいずれかで点灯または点滅するものである。より詳細には、対応する時刻に設定された温度が１４℃あるいは１６℃の低温の場合には緑色で点灯または点滅し、対応する時間に設定された温度が１８℃、２０℃あるいは２２℃の中温の場合には黄色で点灯または点滅し、対応する時間に設定された温度が２４℃あるいは２６℃の高温の場合には赤色で点灯または点滅するものである。
【００５６】
次に、第２エリア１８ｂに設けられたタイマー／現時刻調整スイッチ２６は、このオイルヒーター１０の動作状態を設定する操作子であり、このタイマー／現時刻調整スイッチ２６を操作すると、その操作に応じてオイルヒーター１０の動作状態が設定される。
【００５７】
即ち、タイマー／現時刻調整スイッチ２６は、このオイルヒーター１０の運転状態が運転中状態のときに操作されると、オイルヒーター１０の動作状態を「時計の調整モード」、「タイマーの設定内容確認・変更モード」、「手動運転モード」あるいは「自動運転モード」のいずれかに変更する。
【００５８】
より詳細には、オイルヒーター１０が「手動運転モード」で運転中状態のときには、タイマー／現時刻調整スイッチ２６は、操作される度に「時計の調整モード」→「タイマーの設定内容確認・変更モード」→「手動運転モード」→「時計の調整モード」→・・・の繰り返しでオイルヒーター１０の運転状態を変更し、所望のモードに対応するところで操作を止めると、操作を止めたときに動作モード表示器５４が点灯している所望のモードに決定されるものである。
【００５９】
また、オイルヒーター１０が「自動運転モード」で運転中状態のときには、タイマー／現時刻調整スイッチ２６は、操作される度に「時計の調整モード」→「タイマーの設定内容確認・変更モード」→「自動運転モード」→「時計の調整モード」→・・・の繰り返しでオイルヒーター１０の運転状態を変更し、所望のモードに対応するところで操作を止めると、操作を止めたときに動作モード表示器５４が点灯している所望のモードに決定されるものである。
【００６０】
この際、タイマー／現時刻調整スイッチ２６の操作状態を表示するタイマー／時計調整スイッチ動作表示器５６は、タイマー／現時刻調整スイッチ２６が操作されたときに点灯し、タイマー／現時刻調整スイッチ２６が操作されていないときには消灯するものである。
【００６１】
また、動作モードを表示する動作モード表示器５４は、タイマー／現時刻調整スイッチ２６の操作状態に応じて、「時計の調整モード」を示す動作モード表示器５４−１、「タイマーの設定内容確認・変更モード」を示す動作モード表示器５４−２、「手動運転モード」を示す動作モード表示器５４−３、「自動運転モード」を示す動作モード表示器５４−４のいずれかが点灯し、オイルヒーター１０の運転状態が停止状態のときに消灯するものである。
【００６２】
なお、「自動運転モード」を示す動作モード表示器５４−４は、手動運転／自動運転切り換えスイッチ２４が操作され、オイルヒーター１０の動作状態が「自動運転モードのとき（即ち、自動運転ＯＮ表示器４４が点灯しているとき）には、点灯するものである。
【００６３】
さらに、タイマー／現時刻調整スイッチ２６により「時計の調整モード」あるいは「タイマーの設定内容確認・変更モード」が選択されると、即ち、動作モード表示器５４−１あるいは動作モード表示器５４−２が点灯しているときには、タイマー変更受付表示器５８が点滅するものである。
【００６４】
このタイマー変更受付表示器５８は、時刻設定の際や温度設定の内容を確認あるいは変更する際などに点滅し、それ以外の場合は消灯するものである。
【００６５】
なお、上記したオイルヒーター１０の４つの動作状態、即ち、「時計の調整モード」、「タイマーの設定内容確認・変更モード」、「手動運転モード」ならびに「自動運転モード」のそれぞれについては、後に詳述することとする。
【００６６】
時計・タイマー時間調整キースイッチ（ＵＰ）２８ならびに時計・タイマー時間調整キースイッチ（ＤＯＷＮ）３０は、時刻設定に際して時刻を選択する操作子であり、これら時計・タイマー時間調整キースイッチ（ＵＰ）２８あるいは時計・タイマー時間調整キースイッチ（ＤＯＷＮ）３０を操作すると、その操作に応じて時刻が選択されるとともに、当該選択された時刻が第１エリア１８ａの時計表示器４８に表示されるものである。
【００６７】
即ち、時計・タイマー時間調整キースイッチ（ＵＰ）２８が操作されると、時計表示器４８にデジタル数字表示されている時刻が先に進み、時計・タイマー時間調整キースイッチ（ＤＯＷＮ）３０を操作されると、時計表示器４８にデジタル数字表示されている時刻が後ろに戻るものである。
【００６８】
次に、設定内容決定スイッチ３２は、温度設定や時刻設定の内容を決定する操作子であり、このオイルヒーター１０の動作状態が「時計の調整モード」あるいは「タイマーの設定内容確認・変更モード」のときに操作すると、その操作に応じて温度設定や時刻設定の内容が決定される。
【００６９】
例えば、温度設定に際し温度調節スイッチ２２により温度を選択して温度設定表示器４２に表示させた後に、設定内容決定スイッチ３２を操作すると、温度設定表示器４２に表示させた温度が決定されて所定の記憶領域に記憶されるものである。
【００７０】
また、時刻設定に際し時計・タイマー時間調整キースイッチ（ＵＰ）２８ならびに時計・タイマー時間調整キースイッチ（ＤＯＷＮ）３０により時刻を選択して時計表示器４８に表示させた後に、設定内容決定スイッチ３２を操作すると、時計表示器４８に表示させた時刻が決定されて所定の記憶領域に記憶されるものである。
【００７１】
そして、非常停止テストスイッチ３４は、このオイルヒーター１０が転倒事故などの異常事態に至ったときの動作を設定する操作子であり、この非常停止テストスイッチ３４を操作すると、その操作中はオイルヒーター１０の異常事態における動作が設定される。このため、非常停止テストスイッチ３４を操作することにより、異常事態におけるオイルヒーター１０の動作をテストすることができるものである。
【００７２】
具体的には、非常停止テストスイッチ３４の操作中は、オイルヒーター１０の電源がオンの状態で、ヒーター１６−１、１６−２制御出力の停止し、アラーム音が鳴り、アラーム表示器５２が赤色に点灯するとともに、アラーム表示器５２を除く全ての表示器が消灯する。
【００７３】
そして、非常停止テストスイッチ３４の操作を止めると、異常事態における動作の設定が解除され、その後、運転ＯＮ／ＯＦＦスイッチ２０をオンしてオイルヒーター１０を運転中状態とすることができる。
【００７４】
なお、この非常停止テストスイッチ３４の操作によりオイルヒーター１０の電源切断用の信号端子が動作するので、この電源切断用の信号端子の出力を使用することにより、オイルヒーター１０の電源をオフにするようにしてよい。その際には、電源を再び投入することにより再起動することができるものである。
【００７５】
なお、図５には、本発明によるオイルヒーターの実施の形態の一例の電気回路を示した回路図が示されており、図６には、本発明によるオイルヒーターの実施の形態の一例の操作パネル部１８を電気回路図的に示した説明図が示されている。
【００７６】
以上の構成において、本発明によるオイルヒーター１０の動作の概要について説明することとする。
【００７７】
なお、このオイルヒーター１０に初めて電源を投入した場合には、電源コード１９を介し電力が供給されると、時計表示器４８とタイマー変更受付表示器５８とが点滅するようになされている。
【００７８】
この時計表示器４８ならびにタイマー変更受付表示器５８の点滅は、このオイルヒーター１０の使用者に時計１０６の設定を促すものであり、使用者は、時計・タイマー時間調整キースイッチ（ＵＰ）２８あるいは時計・タイマー時間調整キースイッチ（ＤＯＷＮ）３０を操作して、時計表示器４８の表示内容を現在時刻と一致させる。
【００７９】
この状態で設定内容決定スイッチ３２を操作すると、時計１０６の設定が現在時刻と一致し、時計１０６が自動的にカウントし時計表示器４８に表示される時刻は常に現在時刻を示すようになる。
【００８０】
このようにして時計１０６の設定が行われた後に、オイルヒーター１０は運転状態へと移行することができるようになされている。つまり、時計１０６の設定が行われた後に、運転ＯＮ／ＯＦＦスイッチ２０を操作してオンにすると、オイルヒーター１０の動作状態は運転中状態となる。
【００８１】
ここで、オイルヒーター１０が運転中状態の場合には、このオイルヒーター１０は「時計の調整モード」、「タイマーの設定内容確認・変更モード」、「手動運転モード」ならびに「自動運転モード」の４つの動作状態のうちのいずれかの動作モードで動作するものである。
【００８２】
以下に、４つの動作モードそれぞれついて、
（１）手動運転モード
（２）自動運転モード
（３）タイマーの設定内容確認・変更モード
（４）時計の調整モード
の順に順次説明することとする。
【００８３】
（１）手動運転モード
このオイルヒーター１０の運転状態が停止状態のとき、あるいは、上記したようにしてオイルヒーター１０に初めて電源が投入され時計１０６の設定が行われた後に、運転ＯＮ／ＯＦＦスイッチ２０がオンされると、オイルヒーター１０の動作状態は手動運転モードで運転中状態となる。
【００８４】
この手動運転モードのときには、使用者が温度設定表示器４２を目視しながら温度調節スイッチ２２を操作することによって所望の温度を設定する。そうすると、オイルヒーター１０は連続運転して、当該設定された所望の温度で室温を維持するように動作する。
【００８５】
なお、設定された温度で室温が維持されるように、ヒーター１６−１、１６−２への通電の制御を行う際のＣＰＵ１００により実行される処理は、既に公知のものであるためその詳細な説明は省略することとする。
【００８６】
この際、室温／本体温度センサー１１６から出力されたアナログ信号がＡ／Ｄ変換器１０８によって変換されたデジタル信号を、現在の室内の温度などを示す温度データとして用いることにより室温の制御が行われるものである。
【００８７】
そして、手動運転モードでのオイルヒーター１０の連続運転は、人用センサー１１４によって人が２４時間の間連続して検知されなかった場合、また、操作パネル部１８に設けられた各種操作子がいずれも２４時間の間連続して操作されなかった場合には、自動的に停止され安全が確保されるようになされている。勿論、このような連続運転の自動的な停止の有無や自動的に停止させるまでの時間などの詳細な設定を変更することは可能なものである。
【００８８】
また、オイルヒーター１０が手動運転モードで運転中状態のときに、運転ＯＮ／ＯＦＦスイッチ２０がオフされて停止状態となり、再び、運転ＯＮ／ＯＦＦスイッチ２０がオンされて運転中状態となった場合には、従前の手動運転モード、即ち、設定されていた温度などが維持されて運転中状態が再起動される。
【００８９】
一方、オイルヒーター１０が手動運転モードで運転中状態のときに、手動運転／自動運転切り換えスイッチ２４が操作されると動作モードは「自動運転モード」に変更される。また、タイマー／現時刻調整スイッチ２６を操作することにより、動作モードを「時計の調整モード」あるいは「タイマーの設定内容確認・変更モード」のいずれかに変更することができる。
【００９０】
（２）自動運転モード
このオイルヒーター１０の運転状態が手動運転モードで運転中状態のときに、手動運転／自動運転切り換えスイッチ２４が操作されるか、あるいは、タイマー／現時刻調整スイッチ２６が操作されて「自動運転モード」が選択されると、オイルヒーター１０の動作状態は自動運転モードで運転中状態となる。
【００９１】
こうして自動運転モードに変更されると、タイマー１０７による１日の２４時間単位での時間の計測が開始される。また、予め標準設定温度メモリ１１０に格納されている所定パターンの設定内容が、２４時間タイマー表示器５１に全表示される。
【００９２】
具体的には、図４に示した標準設定温度メモリ１１０の内容に対応して、「０時」を示すタイマー表示器５０−２４と、「１時」を示すタイマー表示器５０−１と、「２時」を示すタイマー表示器５０−２と、「３時」を示すタイマー表示器５０−３と、「４時」を示すタイマー表示器５０−４と、「５時」を示すタイマー表示器５０−５とが黄色で点灯する。
【００９３】
また、「６時」を示すタイマー表示器５０−６と、「７時」を示すタイマー表示器５０−７と、「８時」を示すタイマー表示器５０−８と、「９時」を示すタイマー表示器５０−９とが赤色で点灯する。「１０時」を示すタイマー表示器５０−１０と、「１１時」を示すタイマー表示器５０−１１と、「１２時」を示すタイマー表示器５０−１２と、「１３時」を示すタイマー表示器５０−１３と、「１４時」を示すタイマー表示器５０−１４と、「１５時」を示すタイマー表示器５０−１５と、「１６時」を示すタイマー表示器５０−１６と、「１７時」を示すタイマー表示器５０−１７とが緑色で点灯する。
【００９４】
そして、「１８時」を示すタイマー表示器５０−１８と、「１９時」を示すタイマー表示器５０−１９と、「２０時」を示すタイマー表示器５０−２０と、
「２１時」を示すタイマー表示器５０−２１と、「２２時」を示すタイマー表示器５０−２２と、「２３時」を示すタイマー表示器５０−２３とが赤色で点灯する。
【００９５】
従って、使用者は、２４時間タイマー表示器５１の１日の２４時間うちの１時間毎に設定された温度に対応して点灯している２４個のタイマー表示器５０−１〜５０−２４を目視することにより、予め所定パターンで標準設定温度メモリ１１０に格納されている１日の２４時間分の設定温度を容易に確認することができる。
【００９６】
この標準設定温度メモリ１１０に格納されている所定パターンの設定内容の全表示は１分間行われ、その後、時計表示器４８に現在時刻が表示されるとともに、時計表示器４８に表示された現在時刻に対応する時刻を示すタイマー表示器５０のみが点灯し、それ以外の２３個のタイマー表示器５０は消灯する。
【００９７】
例えば、時計表示器４８に表示された現在時刻が「１２：３４」の場合には、「１２時」を示すタイマー表示器５０−１２のみが緑色で点灯し、それ以外の２３個のタイマー表示器５０は消灯する。
【００９８】
そして、標準設定温度メモリ１１０に格納されている１日の２４時間分の所定パターンの設定温度に従い、自動運転モードでのオイルヒーター１０の連続運転が行われる。
【００９９】
具体的には、自動運転モードに変更されたときに時計１０６が示す現在時刻で初期設定されたタイマー１０７が１日の２４時間単位で計測する時間に応じて、ＣＰＵ１００により標準設定温度メモリ１１０から時計１０６が示す現在時刻と対応する１日の２４時間のうちの１時間に対応して記憶された温度が読み出されて、この読み出された所定の温度で室温が維持されるように、ＣＰＵ１００によるヒーター１６−１、１６−２への通電の制御が行われるものである。
【０１００】
この際、ＣＰＵ１００によるヒーター１６−１、１６−２への通電の制御は、室温／本体温度センサー１１６による検出結果や、フィン状管体１４の温度が平衡状態になるまでの立ち上がり時間などを基づいて行われるようになされている。
【０１０１】
例えば、自動運転モードに変更されたときに現在時刻が「１７：１７」の場合には、「１７：１７」からタイマー１０７による１日の２４時間単位での時間の計測が開始される。この際、現在時刻「１７：１７」に対応する標準設定温度メモリ１１０の１時間は「１７時」なので、標準設定温度メモリ１１０の所定パターン（図４参照）に設定されている「１４℃」で室温が維持される。
【０１０２】
そして、タイマー１０７が４３分の時間の経過を計測したときには、現在時刻は「１８：００」に対応する標準設定温度メモリ１１０の１時間の「１８時」に設定されている「２６℃」で室温が維持されるようになる。
【０１０３】
また、こうした自動運転モードでのオイルヒーター１０の連続運転中に、使用者が温度設定表示器４２を目視しながら温度調節スイッチ２２を操作することによって所望の温度を設定することができる。これにより、所定パターンにより予め設定されていた温度が手動により変更されて、当該変更された温度で室温を維持するようにオイルヒーター１０は動作する。
【０１０４】
ただし、この自動運転モードにおいて使用者により手動で設定変更された温度は、現在時刻の１時間内のみ有効であり、次の１時間になったときには再び予め設定されている所定パターンに戻る。
【０１０５】
例えば、時計表示器４８に表示された現在時刻が「１２：３４」のときに、使用者により手動で設定温度が２０℃に変更された場合には、所定パターンにより予め設定された１２時の温度は１４℃であるが、１２：３４から１２：５９までは設定変更された２０℃で室温を維持するように動作する。そして、時計表示器４８に表示された現在時刻が「１３：００」になると、再び予め設定されている所定パターンに従い１４℃で室温を維持するように動作するものである。
【０１０６】
また、オイルヒーター１０が自動運転モードで運転中状態のときに、運転ＯＮ／ＯＦＦスイッチ２０がオフされて停止状態となり、再び、運転ＯＮ／ＯＦＦスイッチ２０がオンされて運転中状態となった場合には、従前の自動運転モード、即ち、予め設定されていた所定パターンの温度などが維持されて運転中状態が再起動される。
【０１０７】
一方、オイルヒーター１０が自動運転モードで運転中状態のときに、手動運転／自動運転切り換えスイッチ２４が操作されると動作モードは「手動運転モード」に変更される。また、タイマー／現時刻調整スイッチ２６を操作することにより、動作モードを「時計の調整モード」あるいは「タイマーの設定内容確認・変更モード」のいずれかに変更することができる。
【０１０８】
（３）タイマーの設定内容確認・変更モード
このオイルヒーター１０の運転状態が手動運転モードあるいは自動運転モードで運転中状態のときに、タイマー／現時刻調整スイッチ２６が操作されて「タイマーの設定内容確認・変更モード」が選択されると、オイルヒーター１０の動作状態はタイマーの設定内容確認・変更モードとなる。
【０１０９】
この際、操作パネル部１８の動作モード表示器５４−２が点灯し、２４時間タイマー表示器５１のうち時計表示器４８に表示されている現在時刻に対応する時刻を示すタイマー表示器５０のみが点滅するとともに、タイマー変更受付表示器５８が点滅する。
【０１１０】
このタイマーの設定内容確認・変更モードにおいては、
（３−１）タイマー設定内容モニター
（３−２）タイマー設定内容部分書き換え
（３−３）タイマー設定内容全書き換え
の３つの作業を行うことが可能となる。以下、３つの作業のそれぞれについて順次説明することとする。
【０１１１】
なお、「タイマーの設定内容確認・変更」モードの上記３つの作業中において、５分以上放置すると作業内容がキャンセルされるようになされている。勿論、このような作業内容のキャンセルの有無や自動的にキャンセルさせるまでの時間などの詳細な設定を変更することは可能なものである。
【０１１２】
そして、この「タイマーの設定内容確認・変更」モードの状態における作業が終了した後に、タイマー／現時刻調整スイッチ２６が操作して「手動運転モード」あるいは「自動運転モード」に変更すると、変更されたモードで運転中状態が再開される。
【０１１３】
（３−１）タイマー設定内容モニター
タイマー／現時刻調整スイッチ２６を操作して、動作モード表示器５４−２が点灯するとともに、２４時間タイマー表示器５１のうち時計表示器４８に表示されている現在時刻に対応する時刻を示すタイマー表示器５０とタイマー変更受付表示器５８とが点滅した状態で、時計・タイマー時間調整キースイッチ（ＵＰ）２８あるいは時計・タイマー時間調整キースイッチ（ＤＯＷＮ）３０を操作して、点滅しているタイマー表示器５０を変更し、所望の１日の２４時間のうちの１時間に対応するタイマー表示器５０を点滅させる。
【０１１４】
そうすると、２４時間タイマー表示器５１の点滅させたタイマー表示器５０の示す１日の２４時間のうちの１時間に予め設定されている温度が、温度設定表示器４２に表示される。これにより、使用者は、標準設定温度メモリ１１０に格納されている所定パターンにより１日の２４時間のうちの１時間、即ち、所定の時刻に設定されている温度を目視により容易に確認することができる。
【０１１５】
例えば、使用者が時計・タイマー時間調整キースイッチ（ＵＰ）２８あるいは時計・タイマー時間調整キースイッチ（ＤＯＷＮ）３０を操作して、「１９時」を示すタイマー表示器５０−１９を点滅させた場合には、温度設定表示器４２−１、４２−２が緑色で点灯し温度設定表示器４２−３、４２−４、４２−５が黄色で点灯するとともに、温度設定表示器４２−６、４２−７が赤色で点灯する。
【０１１６】
従って、使用者は、標準設定温度メモリ１１０に記憶された所定のパターンの標準設定温度データ（図４参照）により、予め１９時には２６℃の温度設定がなされていることをモニターできる。
【０１１７】
（３−２）タイマー設定内容部分書き換え
まず、上記した（３−１）タイマー設定内容モニターと同様にして、標準設定温度メモリ１１０に格納されている所定パターンにより所定の時刻に設定されている温度を、使用者がモニターできるようにする。
【０１１８】
即ち、タイマー／現時刻調整スイッチ２６を操作して、動作モード表示器５４−２が点灯するとともに、２４時間タイマー表示器５１のうち時計表示器４８に表示されている現在時刻に対応する時刻を示すタイマー表示器５０とタイマー変更受付表示器５８とが点滅した状態で、時計・タイマー時間調整キースイッチ（ＵＰ）２８あるいは時計・タイマー時間調整キースイッチ（ＤＯＷＮ）３０を操作して、点滅しているタイマー表示器５０を変更し、所望の１日の２４時間のうちの１時間と対応するタイマー表示器５０を点滅させる。
【０１１９】
そうすると、２４時間タイマー表示器５１の点滅させたタイマー表示器５０の所望の１日の２４時間のうちの１時間に予め設定されている温度が、温度設定表示器４２に表示される。
【０１２０】
ここで、使用者が温度設定表示器４２を目視しながら温度調節スイッチ２２を操作することによって所望の温度を設定する。これにより、２４時間タイマー表示器５１に表示させた１日の２４時間のうちの１時間に温度設定表示器４２に表示させた所望の温度を設定することができる。
【０１２１】
具体的には、温度調節スイッチ２２の操作により出力されたアナログ信号がＡ／Ｄ変換器１１２により変換されてデジタル信号となり、このデジタル信号を温度調節スイッチ２２の操作に基づいた所定パターンの温度の変更を示す温度調節データとしてＲＡＭ１０４の所定領域に記憶する。
【０１２２】
こうして温度調節データが生成された後にオイルヒーター１０が自動運転モードで運転中状態になったときには、予め標準設定温度メモリ１１０に格納されている所定パターンと、当該所定パターンによる設定温度の一部の変更を示す温度調節データとに従い、自動運転モードでのオイルヒーター１０の連続運転が行われるようになる。
【０１２３】
例えば、このタイマー設定内容部分書き換えの作業により、２４時間タイマー表示器５１の「１２時」を示すタイマー表示器５０−１２を点滅させた状態で２０℃を設定し、また、「１３時」を示すタイマー表示器５０−１３を点滅させた状態で２０℃を設定する。
【０１２４】
この後、オイルヒーター１０を自動運転モードで運転中状態にすると、所定パターンにより予め設定された１２時ならびに１３時の温度は１４℃であるが（図４参照）、１２時から１４時までの２時間は温度調整データに基づいて２０℃で室温を維持するように動作する。この際、１２時までならびに１４時以降は所定パターンに基づいた室温の維持がなされるものである。
【０１２５】
（３−３）タイマー設定内容全書き換え
タイマー／現時刻調整スイッチ２６を操作して、動作モード表示器５４−２が点灯するとともに、２４時間タイマー表示器５１のうち時計表示器４８に表示されている現在時刻に対応する時刻を示すタイマー表示器５０とタイマー変更受付表示器５８とが点滅した状態で、設定内容決定スイッチ３２を操作して、タイマー変更受付表示器５８を連続点灯させる。
【０１２６】
この状態で、使用者が温度設定表示器４２を目視しながら温度調節スイッチ２２を操作することによって所望の温度を設定する。この後、時計・タイマー時間調整キースイッチ（ＵＰ）２８あるいは時計・タイマー時間調整キースイッチ（ＤＯＷＮ）３０を操作して、時計表示器４８に表示される時刻を変更し、所望の時刻を時計表示器４８に表示させる。
【０１２７】
これにより温度設定表示器４２に表示させている所望の温度を、時計表示器４８に表示させた所望の時刻に設定することができる。また、こうした作業を繰り返し行うことにより、所望の温度を所望の時刻にそれぞれ設定することができる。
【０１２８】
具体的には、この作業により１日の２４時間分の設定温度のパターンとして、予め標準設定温度メモリ１１０に格納されている所定パターン（図４参照）の他に、使用者の所望のパターンが生成されてＲＡＭ１０４の所定領域に記憶される。
【０１２９】
そして、オイルヒーター１０が自動運転モードで運転中状態になったときには、当該使用者の所望のパターンに従って自動運転モードでのオイルヒーター１０の連続運転が行われるようになる。
【０１３０】
（４）時計の調整モード
このオイルヒーター１０の運転状態が手動運転モードあるいは自動運転モードで運転中状態のときに、タイマー／現時刻調整スイッチ２６が操作されて「時計の調整モード」が選択されると、オイルヒーター１０の動作状態は時計の調整モードとなる。
【０１３１】
この際、操作パネル部１８の動作モード表示器５４−１が点灯し、時計表示器４８に表示された現在時刻が点滅するとともにタイマー変更受付表示器５８が点滅する。
【０１３２】
そして、使用者が時計・タイマー時間調整キースイッチ（ＵＰ）２８あるいは時計・タイマー時間調整キースイッチ（ＤＯＷＮ）３０を操作して、時計表示器４８に表示されている時刻を変更し所望の時刻を表示させる。
【０１３３】
この状態で設定内容決定スイッチ３２を操作すると、時計１０６の設定が時計表示器４８に表示させた時刻から自動的にカウントを開始するようになり、この時計１０６のカウントに従った時刻が時計表示器４８に表示される。また、オイルヒーター１０の動作モードが従前の動作モード、即ち、手動運転モードがあるいは自動運転モードでの運転中状態になる。
【０１３４】
上記したようにして本発明によるオイルヒーター１０においては、タイマー１０７が１日の２４時間単位で計測する時間に応じて、標準設定温度メモリ１１０に１日の２４時間のうちの１時間毎に対応して設定されている所定の温度で室温が維持されるように、ＣＰＵ１００によりヒーター１６−１、１６−２への通電の制御が行われるので、時計１０６が示す現在時刻と対応する１日の２４時間のうちの１時間は、当該１日の２４時間のうちの１時間に対応して標準設定温度メモリ１１０に記憶された所定の温度で室温が維持されるようになり、オイルヒーター１０は自動的に、予め設定された時刻に予め設定された温度で室温を維持するように動作することができる。
【０１３５】
また、本発明によるオイルヒーター１０においては、このようにして予め設定された時刻に予め設定された温度で室温を維持するように動作することができるので、オイルヒーターの一般的な特性としてフィン状管体１４の温度が平衡状態になるまでの立ち上がり時間が数十分必要であり、室温を設定された温度に安定させるまでに時間がかるという問題点を解決することができる。
【０１３６】
即ち、本発明によるオイルヒーター１０においては自動運転モードのときに、フィン状管体１４の温度が平衡状態になるまでの立ち上がり時間を考慮してＣＰＵ１００によるヒーター１６−１、１６−２への通電の制御が行われるので、予め設定された時刻となったときには既に室温を予め設定された温度に安定して維持することができる。
【０１３７】
さらに、本発明によるオイルヒーター１０においては、操作パネル部１８には１日の２４時間のうちの１時間毎に対応する２４個のタイマー表示器５０が配設されており、タイマー表示器５０はそれぞれ１日の２４時間のうちの対応する１時間毎に設定された温度の高低に応じて異なる色彩、即ち、赤色、黄色あるいは緑色のいずれかで点灯または点滅するようにしたので、使用者はタイマー表示器５０を目視することにより、所定の時刻の設定温度などの設定内容を容易に確認することができる。
【０１３８】
さらにまた、本発明によるオイルヒーター１０においては、タイマーの設定内容確認・変更モードのときに、時計・タイマー時間調整キースイッチ（ＵＰ）２８や、時計・タイマー時間調整キースイッチ（ＤＯＷＮ）３０や、温度調節スイッチ２２を操作することにより、所望の時刻に所望の温度をそれぞれ設定することができる。これにより、予め標準設定温度メモリ１１０に格納されている所定パターンの他に、使用者の所望のパターンが生成されてＲＡＭ１０４の所定領域に記憶されるので、オイルヒーター１０を所望のパターンに従って予め設定された時刻に予め設定された温度で室温を維持するように動作させることができる。
【０１３９】
なお、上記した実施の形態は、以下の（１）乃至（９）に説明するように変形してもよい。
【０１４０】
（１）上記した実施の形態においては、フィン状管体１４内に充填された蓄熱不燃性オイルを加熱する２本のヒーター１６−１、１６−２を配設するようにしたが、当該ヒーター１６−１、１６−２としては、シーズヒーターをはじめ各種加熱手段を用いるようにしてよい。
【０１４１】
（２）上記した実施の形態においては、このオイルヒーター１０に初めて電源を投入したときに時計１０６の設定を行い、その後、オイルヒーター１０が運転状態へと移行するようにしたが、これに限られるものではないことは勿論であり、予め時計１０６の設定を行うようにし、オイルヒーター１０に電源を投入したときには運転状態へと移行するようにしてもよい。
【０１４２】
（３）上記した実施の形態においては、操作パネル部１８に設けられた各種操作子はいずれもキー式のスイッチであるようにしたが、これに限られるものではないことは勿論であり、例えば、図７に示す操作パネル部１８’のように、運転ＯＮ／ＯＦＦスイッチ２０’、温度調節スイッチ２２’、手動運転／自動運転切り換えスイッチ２４’、タイマー／現時刻調整スイッチ２６’、設定内容決定スイッチ３２’などをダイヤル式のスイッチとして形成するようにしてもよい。
【０１４３】
また、上記した実施の形態においては、操作パネル部１８はフィン状管体１４の一側面に配設されるようにしたが、これに限られるものではないことは勿論であり、例えば、オイルヒーター１０が配設される室内の壁面などに操作パネル部１８が配設されるようにしてもよい。この際、人用センサー１１４を操作パネル部１８の各種操作子と各種表示器が設けられている正面側に配設したり、室温／本体温度センサー１１６の室温センサーが操作パネル部１８内に配設するなどの各種変更を行うようにすればよい。
【０１４４】
（４）上記した実施の形態においては、標準設定温度メモリ１１０に記憶された所定のパターンの標準設定温度データは１種類（図４参照）であるようにしたが、これに限られるものではないことは勿論であり、予め複数種類の所定パターンが標準設定温度メモリ１１０に記憶されているようにしてもよい。また、所定の時間に対応して所定の温度が記憶された外部の記憶手段から、所定のパターンをオイルヒーター１０に取り込むようにしてもよい。
【０１４５】
このような場合には、複数種類の所定パターンの中から所望のパターンを選択する選択手段や、所定パターンを取り込むための取り込み手段を配設するなどの各種変更を行うようにするとよい。
【０１４６】
（５）上記した実施の形態においては、使用者が所定の操作子を操作して所望の時刻に所望の温度をそれぞれ設定すると、予め標準設定温度メモリ１１０に記憶された所定のパターン（図４参照）の他に、使用者の所望のパターンが生成されてＲＡＭ１０４の所定領域に記憶されるようにしたが、これに限られるものではないことは勿論であり、標準設定温度メモリ１１０に記憶された所定のパターン（図４参照）が、使用者の設定により所望のパターンに書き換えられるようにしてもよい。
【０１４７】
（６）上記した実施の形態においては、所定の時刻に対応して設定された所定の温度などの設定内容を、操作パネル部１８の２４時間タイマー表示器５１の２４個のタイマー表示器５０によって、温度の高低に応じた赤色、黄色ならびに緑色の３色で表示するようにしたが、これに限られるものではないことは勿論であり、所定の時刻に対応して設定された所定の温度などの設定内容が、赤色、黄色ならびに緑色の３色とは異なる複数の色彩で表示されるようにしてもよい。
【０１４８】
また、例えば、２４時間タイマー表示器を一連の円形表示器により構成するようにして、各時刻に対応する位置で温度が高低に応じた異なる色彩で表示されることにより、１日の２４時間分の設定内容がグラデーション表示されるようにしてもよい。要は、所定の時刻毎に設定されている温度が高低に応じた複数の異なる色彩で表示されるようにすると機能性の高いユーザーインターフェースを実現することができる。
【０１４９】
さらに、２４時間タイマー表示器５１の２４個のタイマー表示器５０それぞれが、所定の色で点灯するかあるいは消灯するかによって、所定の時刻においてオイルヒーター１０の運転状態が運転中状態であるか、あるいは、停止状態であるかを表示するようにしてもよい。
【０１５０】
（７）上記した実施の形態において、ＣＰＵ１００とＲＯＭ１０２、ＲＡＭ１０４、標準設定温度メモリ１１０ならびにＡ／Ｄ変換器１１２はワンチップ化されるようにしてもよい。
【０１５１】
（８）上記した実施の形態において、さらに、オイルヒーター１０の動作状態として、ヒーター１６−１、１６−２への通電の制限などを行って最大電力を制限する最大電力制限モードでの運転ができるようにしてもよい。
【０１５２】
（９）上記した実施の形態ならびに上記した（１）〜（８）に示す変形例は、適宜に組み合わせるようにしてもよい。
【０１５３】
【発明の効果】
本発明は、以上説明したように構成されているので、使用者によって予め設定された時刻に、予め設定された温度で室温を維持するように動作することができることができるようになるという優れた効果を奏する。
【図面の簡単な説明】
【図１】本発明によるオイルヒーターの実施の形態の一例を示す外観斜視図である。
【図２】本発明によるオイルヒーターの実施の形態の一例のシステム構成を表すブロック構成図である。
【図３】本発明によるオイルヒーターの実施の形態の一例の操作パネル部を示す概略構成説明図である。
【図４】標準設定温度メモリのデータ構造を模式的に示す説明図である。
【図５】本発明によるオイルヒーターの実施の形態の一例の電気回路を示した回路図である。
【図６】本発明によるオイルヒーターの実施の形態の一例の操作パネル部を示す電気回路図的に示した説明図である。
【図７】本発明によるオイルヒーターの実施の形態の他の例の操作パネル部を示す概略構成説明図である。
【符号の説明】
１０          オイルヒーター
１１          キャスター
１２          脚部
１４          フィン状管体
１６−１、１６−２          ヒーター
１８          操作パネル部
１８ａ        第１エリア
１８ｂ        第２エリア
２０、２０’  運転ＯＮ／ＯＦＦ（オン／オフ）スイッチ
２２、２２’  温度調節スイッチ
２４、２４’  手動運転／自動運転切り換えスイッチ
２６、２６’  タイマー／現時刻調整スイッチ
２８          時計・タイマー時間調整キースイッチ（ＵＰ）
３０          時計・タイマー時間調整キースイッチ（ＤＯＷＮ）
３２、３２’  設定内容決定スイッチ
３４          非常停止テストスイッチ
４０          運転ＯＮ／ＯＦＦ表示器
４２          温度設定表示器
４４          自動運転ＯＮ表示器
４６          ヒーター通電状態表示器
４８          時計表示器
５１          ２４時間タイマー表示器
５０（５０−１〜５０−２４）       タイマー表示器
５２          アラーム表示器
５４          動作モード表示器
５６          タイマー／時計調整スイッチ動作表示器
５８          タイマー変更受付表示器
１００          中央処理装置（ＣＰＵ）
１０２          リード・オンリ・メモリ（ＲＯＭ）
１０４          ランダム・アクセス・メモリ（ＲＡＭ）
１０６          時計
１０７          タイマー
１０８、１１２  アナログ／デジタル（Ａ／Ｄ）変換器
１１０          標準設定温度メモリ
１１４          人用センサー
１１６          室温／本体温度センサー
【図１】
0004001721.tif 000002
【図２】
0004001721.tif 000003
【図３】
0004001721.tif 000004
【図４】
0004001721.tif 000005
【図５】
0004001721.tif 000006
【図６】
0004001721.tif 000007
【図７】
0004001721.tif 000008